(57)【要約】      （修正有）【課題】広く一般に普及できるよう簡易な取り扱い、且つ、製造コスト低減を図る。【解決手段】水平に配置したピンデッキ板２に、ボウリング所定のピン配置に対応した各位置に通し穴をそれぞれあけ、ピンデッキ板２に乗せた各ピン１の底側に一端をそれぞれ取り付けた各紐３を各通し穴からピンデッキ板２の下方へそれぞれ出し、各紐３の他端側をピンデッキ板２後方側で結束したボウリング遊具において、下記の要件を備える。（イ）ピンデッキ板２は薄く形成した平板状であること。（ロ）各ピン１底側に取り付けた各ピン起立紐３の他端部は、各ピンが起立した状態で束ねて引張してテーピング９で仮結束し、玉結び１０を形成して結束一体化していること。【選択図】図１
2012019916.tif 000002
【特許請求の範囲】
【請求項１】
水平に配置したピンデッキ板に、ボウリング所定のピン配置に対応した各位置に通し穴をそれぞれあけ、ピンデッキ板上に乗せた各ピンの底側に一端をそれぞれ取り付けた各ピン起立紐を各通し穴からピンデッキ板の下方へそれぞれ出し、各ピン起立紐の他端側をピンデッキ板後方側で結束したボウリング遊具において、下記の要件を備えたことを特徴とするボウリング遊具。
（イ）ピンデッキ板は、薄く形成した平板状であること。
（ロ）各ピン底側に取り付けた各ピン起立紐の他端部側は、各ピンが起立した状態で束        ねて引張してテーピングで仮結束し、玉結びを形成して結束一体化していること。
【請求項２】
下記の要件を備えたことを特徴とする請求項１記載のボウリング遊具。
（イ）各ピン底側に取り付けた各ピン起立紐の他端部側に、結び輪を形成していること。
（ロ）各ピン起立紐の長さは、ピンデッキ板の前側を除いたピンデッキ板外周の任意の        一点へ各ピン起立紐を引張した場合、前記各結び輪の先端部が同一となる長さで        あること。
（ハ）前記各結び輪に結束紐を通し、結束していること。
【請求項３】
下記の要件を備えたことを特徴とする請求項１又は２項いづれか記載のボウリング遊具。
（イ）ピンデッキ板は前部から後部にかけて緩やかな登り傾斜状を形成していること。
【発明の詳細な説明】
【技術分野】
【０００１】
本発明は、ピンデッキ前部側の傾斜板を省略した構造であっても、転がしたボールでボウリングピンを倒すことができ、また、各ピンの底側に設けた各ピン起立紐の結束方法を改良したボウリング遊具に関する。
【背景技術】
【０００２】
従来のボウリング遊具には、水平に配置したピンデッキ板２に、ボウリング所定のピン配置に対応した各位置に通し穴４をそれぞれあけ、ピンデッキ板２上に乗せた中空のプラスチック各ピン１の底側に一端をそれぞれ取り付けた各ピン起立紐３を各通し穴４からピンデッキ板２の下方へそれぞれ出し、ピンデッキ板２の後方で各紐３の端部を一つにまとめ結束している。また、ピンデッキ板２の裏面の四隅に支持板５を介してゴム脚６を取り付け、ピンデッキ板２と床面の間に空間を形成し、ピンデッキ板２後方に出している各ピン起立紐３がスムーズに動けるようにしている。またピンデッキ板２の前部側に、ピンデッキ板２上面と床面の段差を解消するために傾斜板８を配設している。投擲して床を転がしたボール７は傾斜板８を登り、ピンデッキ板２に起立した各ピン１を倒すことができる。      
【０００３】
また、各ピン起立紐３を結束する方法として、各ピン起立紐３を束ねてテーピング９で仮結束して引き締め、ピン起立紐３の端部を揃えて融着し、各ピン１に対して各ピン起立紐３の引張力が同一に伝わるように融着部１９により一体に形成している。
【先行技術文献】
【特許文献】
【０００４】
【特許文献１】特願２００６−１３４６４１
【非特許文献】
【０００５】
【非特許文献１】（財）日本レクリエーシヨン協会カタログ
【発明の概要】
【発明が解決しようとする課題】
【０００６】
従来、一つの動作で全てのピンを所定の位置で起立し配列させる発明は各種提案されている。ボウリングはストレス解消スポーツといわれ、人間がもつ破壊本能を満たし、ストレス社会の今日ほどその要望は強まっていると思われる。本発明者は長年、一般家庭ででも、ボウリング場と同様の感覚でプレイできるボウリング遊具の改良を進めてきたが、本発明者が開発したものが高齢者の施設等でレクリエーシヨンのゲーム用として一部普及しているが、構造を丈夫にするため、製造コストが高く高価格となり、一般に普及することはできないできていた。（非特許文献１参照）特許文献１で示すものは、それまでの従来のものに比べてピン起立紐の結束方法の改良を図り、大幅なコスト低減を図れたが、広く一般への普及という点ではまだ充分とはいえない。このボウリング遊具は、ピンデッキ板の下部からピンデッキ板後方へ引き出した各ピン起立紐に、ピンとピンデッキ板の重量がかからず各紐がスムーズに動くように、ピンデッき板下部に空間を形成していた。そのため、ピンデッキ板の前側に段差解消のための傾斜板が必要不可欠であった。そのため、ゲームのときには設置をしなければならず、手間がかかり、また、その分製造コスト高となつていた。
【０００７】
また、各ピン起立紐の結束方法は、それまでの従来のものに比べて改善をしていたが、結束したピン起立紐の端部を融着したものは、使用しているうちに何等かの原因で起立しないピンがあった場合は修正することができなかった。また、使用する紐は、合成樹脂のポリエチレン紐を使用する場合、製造過程で端部を火で融かすとき有毒ガスが発生し、防毒処置に注意が必要であつた。
【０００８】
本発明は、このような従来の構成が有していた問題を解決しようとするものであり、別途、傾斜板を使用しない構成としても、床面をボールを転がすだけで、ピンデッキ板に起立した各ピンを倒すことができるので、構造が簡易になり、製造コスト低減を図ることができる。また、使用中に起立が不具合なピンがあった場合、全ピンが起立するように、容易に修正可能で、また、製造組立が簡易で、且、製造工程で有毒ガスが発生する等の危険がない方法で各ピン起立紐を一体に結束できるボウリング遊具を実現することを目的とするものである。
【課題を解決するための手段】
【０００９】
そして、本発明は上記目的を達成するために、水平に配置したピンデッキ板に、ボウリング所定のピン配置に対応した各位置に通し穴をそれぞれあけ、ピンデッキ板上に乗せた各ピンの底側に一端をそれぞれ取り付けた各ピン起立紐を各通し穴からピンデッキ板の下方へそれぞれ出し、各ピン起立紐の他端側をピンデッキ板の後方側で結束したボウリング遊具において、（イ）ピンデッキ板は、薄く形成した平板状であること。（ロ）各ピン底側に取り付けた各ピン起立紐の他端部側は、各ピンが起立した状態で束ねて引張してテーピングで仮結束し、玉結びを形成して結束一体化したものである。
【００１０】
各ピン起立紐は全部まとめて、玉結びを形成して結束できるが、６ピンの遊具の場合はピン起立紐を３本づつ、１０ぴんの遊具の場合は５本づつ二つの束にして結束してもよい。    
【００１１】
また、第２の解決手段は、第１の解決手段において、（イ）各ピン底側に取り付けた各ピン起立紐の他端部に結び輪を形成していること。（ロ）各起立紐の長さは、ピンデッキ板の前側を除いたピンデッキ板外周の任意の一点へ各ピン起立紐を引張した場合、前記各結び輪の先端部が同一となる長さであること。（ハ）前記各結び輪に結束紐を通し、結束していることを要件としたものである。
【００１２】
また、第３の解決手段は、第１または第２の解決手段において、（イ）ピンデッキ板は前部から後部側にかけて緩やかな登り傾斜状を形成したことを要件としたものである。
【００１３】
上記第１の解決手段による作用は次ぎの通りである。ピンデッキ板の材質は合成樹脂、合板等軽量で厚さが６ｍｍ以下であれば、ピンとピンデッキ板の重量がピンデッキ板の下部を通したピン起立紐の移動の負荷の影響は比較的少なく、ボール及びボールで倒されたピン同志による転倒が容易である。また、ピンデッキ板が６ｍｍ以下の厚さであれば、床面を転がしたボールはピンデッキ板前端部に当って反射することもなく、丸い曲面を形成しているボールは容易にピンデッキ板上に乗り、且、ピンデッキ板上を転がり起立している各ピンを倒すことができる。また、ピンデッキ板の厚さを６ｍｍ以上にする場合は、ボールが容易にピンデッキ板上に乗るように前端部側を傾斜状に形成するとよい。
【００１４】
また、各ピン起立紐は、ピンデッキ板上に各ピンが起立した状態で束ねて引張して、テーピングで仮結束し、玉結びを形成して結束一体化するので、各ピンが転倒した状態で全ピンを起立させるには、結束部分を把持して引くだけの簡易な操作で容易に起立させることができる。また、仮結束と玉結びで起立しないピンがあった場合、仮結束と玉結びの結束を解し再び玉結びを形成し直し、容易に再結束をすることができる。
【００１５】
また、第２の解決手段による作用は、各ピン起立紐の他端部側に結び輪を形成し、その結び輪を結束紐で結束し引くことにより全てのピンを容易に起立させることができる。起立しないピンがあった場合、そのピンの結び輪を解し、再度結び輪を結束し直し、容易に全ピンが起立するように調整することができる。
【００１６】
また、第３の解決手段による作用は、ピンデッキ板は前部から後部にかけて緩やかな登り傾斜状を形成したものである。傾斜させる方法として、ピンデッキ板の後部の両側を折り曲げて脚部を形成したり、脚ゴムを取り付けて、ピンデッキ板下部の前部から後部側にかけて空間を形成し、ピンデッキ板の下部を通したピン起立紐へのピンやピンデッキ板重量による負荷を軽減できるので、比較的に重量がある材料でピンデッキ板を形成することができる。また、ピン起立紐への負荷を解消しているので、転がしたボールの僅かな衝撃やピン同志の接触でも各ピンを倒し易くなる。                                      
【発明の効果】
【００１７】
上述したように本発明のボウリング遊具は、傾斜板を省略して使用でき、しかも、ピンデッキ板を薄く形成した平板ででも構成可能であり、且、投擲して転がしたボールは床面と同様にピンデッキ板上を転がし、支障なく各ピンを倒すことができ使用上の取り扱いが容易となり、また、簡単構造で大幅な製造コスト低減を図ることができるようになった。
【００１８】
各ピン起立紐は、玉結びでの結束、または、結び輪を形成することによる結束と結束作業が簡単容易となり、且、起立が不具合なピンがあった場合は、解して調整しての再結束が容易にできるようになった。
【００１９】
また、ピンデッキ板を緩やかな傾斜構造にすることで、ピン起立紐にかかる負荷を軽減し、製造コスト低減での簡単構造で各ピンが倒れ易くなるという効果を奏する。
【図面の簡単な説明】
【００２０】
【図１】図１は実施例１を示す正面図とＡ−Ａ矢視図である。
【図２】図２は実施例２を示す部分参考図である。
【図３】図３は結び輪の作製工程を示す参考図である。
【図４】図４は実施例３を示す斜視図である。
【図５】図５は実施例４を示す正面図である。
【図６】図６は従来のボウリング遊具の正面図である。
【発明を実施するための形態】
【００２１】
以下、本発明の実施の形態を図１~図５に基づいて説明する。
【実施例１】
【００２２】
図１は、実施例１を示す正面図とＡ−Ａ矢視図である。１は中空のプラスチックの軽量なピンである。２は薄く形成した平板のピンデッキ板である。ピンデッキ板２は平板状で厚さは６ｍｍ以下である。３はピン１の底部に取り付けて倒れたピン１を起立させるピン起立紐３で外径１．５ｍｍの材質ポリエチレンである。水平に配置したピンデッキ板２に、ボウリング所定のピン１配置に対応して穿設した通し穴４に、ピンデッキ板２上に乗せた各ピン１の底側に一端をそれぞれ取り付けた各ピン起立紐３を各通し穴４からピンデッキ板２の下方へそれぞれ出し、各ピン起立紐３の他端部側を束ねて引張し、各ピン１が同時一斉に起立した状態でテーピング９により仮結束させ、且、玉結び１０を結んで一体に形成している。ピンデッキ板２の前方から床面を転がしたボール７は、薄く形成したピンデッキ板２とピン起立紐で床上約７．５ｍｍのピンデッキ面をボール７の曲面が合致して、滑らかにピンデッキ板２上を転がり進行することができる。ボール７によって倒された各ピン１は、軽量なピン１と薄く軽量なピンデッキ板２の構成により、ピンデッキ板２下部に通しているピン起立紐３への負荷は少なく、ピン起立紐３は容易に動くことができるので、ボールが当った場合各ピン１は容易に転倒する。また、転倒した各ピン１は、それぞれのピン起立紐３が同一の引張状態でテーピング９と玉結び１０で一体に形成しているので、結束部を把持して引くと各ピン１は一斉に起立する。
【実施例２】
【００２３】
図２は、実施例２を示す部分参考図である。図３は、結び輪の作成工程を示す参考図である。１１は組立台で略コ字形状を形成し、渡し板部１２の長手方向の中央部に丸棒状の定点設定部１３を設けている。組立台１１にピンデッキ板２をビス１３と蝶ナット１４で着脱自在に固定し、ピンデッキ板２上の所定の位置に各ピン１を配置、且各ピン１の底部に設けたピン起立紐３を夫々の通し穴４をピンデッキ板２下部側へ通し、ピン１が立設した状態で各ピン起立紐３ごとに引張し、定点設定部１３に掛けて折り返して、ピン起立紐３の長さを設定する。図３示すように、結び輪１６の作り方と結束方法を説明すると、（イ）折り返し且折り曲げた状態で定点設定部１３から外し、二つ折りにする。（ロ）（ハ）前記の折り返し部分に結び輪１６を形成する。全てのピン起立紐３の先端部を同様の方法で結び輪１６を形成する。各ピン起立紐３の長さは違っても定点設定部１３で結び輪１６の先端部が同一に設定しているので、各ピン１底部に引張力は同時、且、同等にかかり、各結び輪１６を結束紐１７で結束して引くと、転倒している各ピン１を一斉の引きで起立することができる。
【実施例３】
【００２４】
図４は実施例３の斜視図である。図においてピンデッキ板２は後部側の両側を曲折して脚部１８を設け、前側から後部側にかけて登り傾斜状を形成している。また、ピンデッキ板２と床面の間に空間部を形成している。ピンデッキ板２の下部に通したピン起立紐３は、空間部によりピン１やピンデッキ板２の負荷を受けないので、ピンデッキ板２を鉄板等のように比較的重量があるもので形成することができる。
【実施例４】
【００２５】
図６は実施例４の正面図である。図においては、ピンデッキ板２の後部両側にゴム脚１９をビス１４とナツト１５で取り付け、前側から後部側にかけて登り傾斜状を形成し、ピンデッキ板２下部に空間部を形成している。
【符号の説明】
【００２６】
１  ピン      ２  ピンデッキ板    ３  ピン起立紐      ４  通し穴
６  ゴム脚    ８  傾斜板          ９  テーピング    １０  玉結び
１６  結び輪  １７  結束紐        １８  脚部
【図１】
2012019916.tif 000003
【図２】
2012019916.tif 000004
【図３】
2012019916.tif 000005
【図４】
2012019916.tif 000006
【図５】
2012019916.tif 000007
【図６】
2012019916.tif 000008